(57)【要約】【課題】  天板１３の、天板支承材１７に対する位置決めが簡単に出来るようにする。【解決手段】  装飾板２９の下面に接着等の手段により木質系補強材３２が取り付けられている。前記木質系補強材３２は、天板支承材１７に対向する部分には設けられておらず、この木質系補強材３２が設けられていない部分が、天板支承材１７が嵌まる窪み３６となされている。前記窪み３６に天板支承材１７が嵌まるようにして天板１３が天板支承材１７に載置され、取付片２３に形成された貫通孔を通じてねじ３７を木質系補強材３２にねじ嵌めることにより、天板１３が天板支承材１７に固定されている。【選択図】  図２
2005205047.tif 000002
【特許請求の範囲】
【請求項１】
上部に天板支承材を有する支持枠と、前記天板支承材に載置される天板とを有し、前記天板支承材は、前側部材と、前側部材に後方突出状に設けられた、少なくとも2本の横部材とを有し、前記天板は、上下方向に開放した開口を有する装飾板と、前記開口の縁部に設けられた洗面ボウルと、装飾板の前部下面に設けられた装飾前縁材と、装飾板の下面に取り付けられた木質系補強材とを有し、前記木質系補強材は、天板支承材に対向する部分には設けられておらず、この木質系補強材が設けられていない部分が、天板支承材が嵌まる窪みとなされ、この窪みに天板支承材が嵌まるようにして天板が天板支承材に載置され、天板支承材に設けられた所要個の取付片に形成された上下方向に貫通する貫通孔を通じてねじを木質系補強材にねじ嵌めることにより、天板が天板支承材に固定されている洗面ユニット。
【請求項２】
前記支持枠が部屋の床に当接する４本の支柱を有している請求項１記載の洗面ユニット。
【請求項３】
前記支持枠が部屋の側壁に取り付けられる左右一対の取付材を有している請求項１記載の洗面ユニット。
【発明の詳細な説明】
【技術分野】
【０００１】
本発明は洗面ユニットに関する。
【背景技術】
【０００２】
従来、この種の洗面ユニットとして以下の如きものは知られている。
上部に長手方向を前後方向に向けた左右一対の天板支承材を有する支持枠と、前記天板支承材に載置される天板とを有し、前記天板は、上下方向に開放した開口を有する天板本体と、この天板本体の開口の縁部に設けられた洗面ボウルとを有し、前記天板本体の下面が前記天板支承材に載置されたものは知られている。
【特許文献１】特開２００１−１２８，８６８号公報
【発明の開示】
【発明が解決しようとする課題】
【０００３】
前記従来の洗面ユニットには以下の如き欠点があった。
左右一対の天板支承材に天板を載置しても、天板の、天板支承材に対する位置決めが出来るものでなかったので、別個に天板の、天板支承材に対する位置決め作業を行わなければいとい欠点があった。
【課題を解決するための手段】
【０００４】
本発明は前記欠点を解消するために以下の如き手段を採用した。
（１）請求項１の発明は、上部に天板支承材を有する支持枠と、前記天板支承材に載置される天板とを有し、前記天板支承材は、前側部材と、前側部材に後方突出状に設けられた、少なくとも2本の横部材とを有し、前記天板は、上下方向に開放した開口を有する装飾板と、前記開口の縁部に設けられた洗面ボウルと、装飾板の前部下面に設けられた装飾前縁材と、装飾板の下面に取り付けられた木質系補強材とを有し、前記木質系補強材は、天板支承材に対向する部分には設けられておらず、この木質系補強材が設けられていない部分が、天板支承材が嵌まる窪みとなされ、この窪みに天板支承材が嵌まるようにして天板が天板支承材に載置され、天板支承材に設けられた所要個の取付片に形成された上下方向に貫通する貫通孔を通じてねじを木質系補強材にねじ嵌めることにより、天板が天板支承材に固定されているものである。
（２）請求項２の発明は、前記支持枠が部屋の床に当接する４本の支柱を有している請求項１記載のものである。
（３）請求項３の発明は、前記支持枠が部屋の側壁に取り付けられる左右一対の取付材を有している請求項１記載のものである。
【発明の効果】
【０００５】
本発明は前記した如き構成によって以下の如き効果を奏する。
（１）請求項１の発明によれば、天板支承材に天板を載置すれば、天板支承材が窪みに嵌まり、自動的に、天板の、天板支承材に対する位置決めが出来るので、天板の、天板支承材に対する取り付けが行いやすい。
（２）請求項２の発明によれば、支持枠が部屋の床に当接する４本の支柱を有しているので、洗面ユニットを部屋の床に安定載置することが出来る。
（３）請求項３の発明によれば、支持枠が部屋の側壁に取り付けられる左右一対の取付材を有しているので、洗面ユニットを部屋の側壁に簡単に取り付けることが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。
【０００７】
洗面ユニット１１は、支持枠１２と天板１３とを有している。
【０００８】
前記支持枠１２は、左右方向に所定間隔をあけて配された左右一対の前側の支柱１６と、これら前側の支柱１６の後方に所定間隔をあけて配された左右一対の後側の支柱１６と、支柱１６の上部に設けられた天板支承材１７と、前側の左右の支柱１６の上部に渡された連結材１８と、後側の左右の支柱１６の上部及び下部に渡された連結材１９と、前後の支柱１６の下部に渡された連結材２０とを有している。
前記支柱１６、天板支承材１７及び連結材１８、１９、２０は、断面円形の金属製のパイプ材によって構成されている。
【０００９】
前記天板支承材１７は、前側部材２１と、前側部材２１に後方突出状に設けられた、少なくとも2本、本実施の形態では３本の横部材２２とを有している。前記横部材２２各々には、所要個の取付片２３が設けられ、これら取付片２３には上下方向に貫通する貫通孔（図６参照）が形成されている。
【００１０】
前記天板１３は、上下方向に開放した開口２８を有する人工大理石製等の装飾板２９と、前記開口２８の縁部に後述する手段で取り付けられた金属製等の洗面ボウル３０と、装飾板２９の前部下面に接着等の手段により取り付けられた人工大理石製等の装飾前縁材３１と、装飾板２９の下面に接着等の手段により取り付けられた木質系補強材３２とを有している。
【００１１】
前記洗面ボウル３０の上面が開口２８の縁部下面に接着剤により接着され、また、図４に示すごとく、洗面ボウル３０の垂下外縁が、木質系補強材３２に取り付けられた所要個の支持片３４により支承されている。
【００１２】
前記木質系補強材３２は、天板支承材１７に対向する部分には設けられておらず、この木質系補強材３２が設けられていない部分が、天板支承材１７が嵌まる窪み３６となされている。前記窪み３６に天板支承材１７が嵌まるようにして天板１３が天板支承材１７に載置され、前記取付片２３に形成された貫通孔を通じてねじ３７を木質系補強材３２にねじ嵌めることにより、天板１３が天板支承材１７に固定されている。
【００１３】
前記支持枠１２は、図３に示すごとく、後側の上部の連結材１９を、取付具３９を介して部屋１の側壁３に固定することにより、側壁３に固定されている。
前記支柱１６の下端は、床２に当接している。
【００１４】
以下に変形例等について説明を加える。
（１）支柱１６の、連結材１８及び後側上部の連結材１９より下の部分をなくして、支柱１６の残った上部を、部屋１の側壁３に取り付けられる左右一対の取付材とし、これら取付材を側壁３に取付具３９等を介して取り付けるようにしてもよい。この場合、前記前後の取付材の下端同士を長手方向を前後方向に向けた連結材で繋ぐことになる。
（２）天板１３の形状は任意である。
（３）この明細書において、窪み３６は、溝でも、また、断面逆Ｌ字状の段落ち部（溝と相違して長手方向に沿う1側面が開放した状態のもの）であってもよい。要するに、窪み３６を形成する少なくとも１つの垂直側面（木質系補強材３２の縁部の垂直側面）の少なくとも一部が、天板支承材１７に当接するようになっていればよい。
（４）装飾板２９及び装飾前縁材３１の素材は任意である。例えば、装飾板２９及び装飾前縁材３１を透明又は半透明の合成樹脂製としてもよい。この場合、上方から下側の木質系補強材３２等が透けて見えないように、装飾板２９及び装飾前縁材３１の裏側面に不透明の着色層を設ける。
（５）木質系補強材３２とは、むくの木材、合板、ＭＤＦ（中質繊維板）、パーティクルボード等の木質系素材からなる補強材をいう。
【図面の簡単な説明】
【００１５】
【図１】本発明の実施の形態を示す正面図である。
【図２】図１のＩＩ−ＩＩ線断面図である。
【図３】図１のＩＩＩ−ＩＩＩ線断面図である。
【図４】図２のＡ部分の拡大縦断面図である。
【図５】図３のＢ部分の拡大図である。
【図６】図２のＣ部分の拡大縦断面図である。
【符号の説明】
【００１６】
１１  洗面ユニット
１２  支持枠
１３  天板
１６  支柱
１７  天板支承材
２１  前側部材
２２  横部材
２３  取付片
２８  開口
２９  装飾板
３０  洗面ボウル
３１  装飾前縁材
３２  木質系補強材
３６  窪み
３７  ねじ
【図１】
2005205047.tif 000003
【図２】
2005205047.tif 000004
【図３】
2005205047.tif 000005
【図４】
2005205047.tif 000006
【図５】
2005205047.tif 000007
【図６】
2005205047.tif 000008